(57)【特許請求の範囲】
【請求項１】
左右横長の外壁パネル１の一群が、上下に隣接する状態で接続されており、各外壁パネル１が裏面側に設けた取付具３を介して壁下地材２に固定してある外壁パネルの取付構造であって、
外壁パネル１の上縁および下縁に、互いに嵌係合し得る第１嵌合部７と第２嵌合部８とが設けられており、
外壁パネル１の上下両縁の裏面側に、一対の係合部９・１０が長手方向に沿って連続して設けられており、
取付具３は、ベース部１４と、ベース部１４から屋内側へ起立した締結片１５と、ベース部１４の上下端に設けた係合片１６・１７とを有し、
上下に隣接する外壁パネル１・１は、下段の外壁パネル１の第１嵌合部７に上段の外壁パネルの第２嵌合部８を嵌め込んで接続されており、
上下に隣接する外壁パネル１・１の両嵌合部７・８の連結部Ｃの背面において、取付具３の両係合片１６・１７を上下の外壁パネル１・１の両係合部９・１０に係合し、取付具３の全体をスライド操作することにより、締結片１５を締結具１８で壁下地材２の間柱２ａの側面に締結できるようにした外壁パネルの取付構造。
【請求項２】
外壁パネル１には、両嵌合部７・８に連続して一対の係合部９・１０がパネル裏面に折り曲げ形成されており、
係合片１６・１７間のベース部１４の側縁に締結片１５が裏面側に折り起こしてある請求項１記載の外壁パネルの取付構造。
【発明の詳細な説明】
【０００１】
【発明の属する技術分野】
本発明は、壁下地材の屋内側から取り付けるのに好適な外壁パネルの取付構造に関する。
【０００２】
【従来の技術】
住宅密集地では、隣接する家どうしが接近して建てられており、隣接する家屋の間に足場を組めないことがある。こうした場合には、壁下地材の屋内側に足場を組み、外壁パネルを屋内側から支えて壁下地材に取り付ける。例えば横張り型の外壁パネルの場合には、雄雌嵌合部の上縁のフランジ壁を屋内側へ切り起こし、切り起こされた取付片を壁下地材にビスや釘で締結している。
【０００３】
特開平７−３９９９号公報には、外壁パネルの上縁側の嵌合部と係合して、外壁パネルの上方への遊動と、屋外側への傾動を阻止する取付具が開示されている（図５６、図５９参照）。この取付具は、壁下地のチャンネル材製の柱に係止できる横断面がコ字状の取付枠部と、外壁パネルの嵌合部に係合する係止部とを有し、取付枠部の前面下縁に係止部を一体に折り曲げ形成してなる。取付枠部を柱に係止し、係止部を外壁パネルの嵌合部に嵌め込んだ後、取付枠部をビスで柱に締結することにより、外壁パネルを柱に固定できる。
【０００４】
【発明が解決しようとする課題】
上記のように、外壁パネルを取付具を介して柱に固定する取付構造によれば、作業現場において取付片を形成する必要がないので、外壁パネルを屋内側から容易に取り付けることができる。取付片を形成することによって、切り起こし部分の防水機能が低下する不利も避けられる。問題は、取付具による係合部位が外壁パネルの上縁側の嵌合部に限られ、取付具は外壁パネルを上方遊動不能に単に押え保持しているだけなので、外壁パネルを強固に固定できず、長期使用時に日射熱によってそり変形を生じ、外壁面に凹凸を生じ体裁が損なわれやすい。隣家の火災によって外壁パネルが加熱される場合には、表面板の膨張作用で外壁パネルが大きくそり変形し、その雄雌嵌合部が解離して、解離部分から屋内側へ火が回ることもある。
【０００５】
本発明の目的は、隣家との隙間が小さく、外壁パネルを壁下地材の屋内側から取り付けざるを得ない状況下で、外壁パネルを屋内側から容易にしかも強固に取り付けることができる、外壁パネルの取付構造を提供することにある。
本発明の他の目的は、外壁パネルの表面板が熱により膨張して外壁パネルがそり変形することをよく防止して、長期使用時の外壁面の面不整を解消でき、しかも火災時の火の回り込みを阻止できる、外壁パネルの取付構造を提供することにある。
【０００６】
【課題を解決するための手段】
本発明のパネル取付構造は、図１に示すごとく一方向に長い外壁パネル１の一群が、長手方向縁部に設けた連結部Ｃを介して幅方向に隣接する状態で接続されており、各外壁パネル１が裏面側に設けた取付具３を介して壁下地材２に固定してある外壁パネルに適用する。外壁パネル１の長手方向に沿う両縁の裏面側に、一対の係合部９・１０を長手方向に沿って連続して設ける。取付具３は、外壁パネル１の裏面において前記連結部Ｃを幅方向に横断するベース部１４と、ベース部１４から屋内側へ起立した締結片１５とを有し、ベース部１４には、連結部Ｃを間に挟んで隣接する係合部９・１０に係合する係合片１６・１７を設ける。両係合片１６・１７を隣接する外壁パネル１・１の両係合部９・１０に係合し、締結片１５を締結具１８で壁下地材２に固定して外壁パネル１を壁下地材２に取り付ける。
【０００７】
具体的には、外壁パネル１の長手方向に沿う両縁に、互いに嵌係合し得る第１嵌合部７と第２嵌合部８とを設け、両嵌合部７・８に連続して一対の係合部９・１０をパネル裏面に折り曲げ形成する。取付具３の係合片１６・１７間のベース部１４の側縁に締結片１５を設ける。
【０００８】
【作用】
外壁パネル１を壁下地材２に取り付けた状態において、取付具３は、隣接する外壁パネル１・１の連結部Ｃの裏面を横断して、連結部Ｃに隣接する係合部９・１０と係合している。従って、外壁パネル１の長手方向の両縁は、それぞれ壁下地材２に固定した取付具３で容易かつ強固に固定される。
【０００９】
【実施例】
図１および図２に本発明の第１実施例を示しており、図１において符号１は外壁パネル、２壁下地材、３は取付具である。外壁パネル１は、図２に示すように表面板４と裏面板５と、両板４・５の間に充填した芯材６とで構成した左右横長の横張り型サンドイッチパネルからなる。外壁パネル１の上縁および下縁には、互いに嵌係合できる関係の第１嵌合部７と第２嵌合部８をそれぞれ設け、パネル裏面側に上下の係合部９・１０を設ける。
【００１０】
第１嵌合部７は、表面板４の主面壁４ａの上縁に連続する段部７ａと、上端が丸められた嵌合リブ７ｂと、嵌合リブ７ｂの裏面側の基端に連続する階段状の内段壁７ｃとで雄形に形成する。内段壁７ｃの裏面端から上向きに立ち上がる立壁を裏面側で反転して受壁１１を形成し、受壁１１の下端に連続して上方の係合部９を形成する。係合部９は屋内側へ向かって開口する断面Ｃ字状の溝からなる。
【００１１】
第２嵌合部８は、表面板４の主面壁４ａの下縁に連続して設けた断面凹字状の溝壁８ａからなり、溝壁８ａの内奥端にパッキン１２を接着固定する。溝壁８ａの裏面端に連続して立壁８ｂを設け、この立壁８ｂに連続して下方の係合部１０を形成する。係合部１０は屋内側へ向かって開口する断面Ｃ字状の溝からなり、その屈曲基端１０ａに取付具３を掛け止める。
【００１２】
表面板４は、塗装鋼板、ステンレス鋼板、アルミニウム板等の金属板材で形成し、裏面板５は表面板４と同じ金属板材で形成するか、紙、アルミニウムシート、あるいは両者を貼り合わせた複合シート等で形成する。芯材６はフェノールフォーム等の硬質プラスチックフォームで形成でき、必要に応じて無機質繊維を含んで形成する。
【００１３】
図２において、取付具３は縦長四角形状のベース部１４と、ベース部１４の右側縁に沿って裏面側へ折り起こした締結片１５と、ベース部１４の上下端に設けた係合片１６・１７とを有するプレス成形品からなる。締結片１５は四角形状の主面壁を有し、その板面中央に締結具１８用の挿通孔１９を貫通状に設けてある。
上方の係合片１６は、ベース部１４の主面壁の上端を逆Ｕ字状に折り曲げて形成し、ベース部１４の前面側にＵ字壁が位置するよう設ける。下方の係合片１７は、ベース部１４の主面壁の下端から斜め下向きに突設してあり、その下縁を表面側へ折り返してある。
【００１４】
壁下地材２はチャンネル材で組まれた図外の胴縁の外面に、木製の間柱２ａを一定間隔おきに固定して形成する。この間柱２ａの外面に外壁パネル１の一群を土台側から上方へ向かって順に取り付ける。詳しくは、既に固定した外壁パネル１の上段に新たな外壁パネル１を隣接配置し、下段の外壁パネル１の第１嵌合部７に上段の外壁パネル１の第２嵌合部８を嵌め込んで、上下の外壁パネル１・１を接続する。この状態を維持したままで、両嵌合部７・８の連結部Ｃの背面に取付具３を当てがい、その上方の係合片１６を上段の外壁パネル１の裏面の下方の係合部１０に掛け止めながら、下方の係合片１７を下段の外壁パネル１の上方の係合部９に差し込み係合する。
【００１５】
次に取付具３の全体をスライド操作して、締結片１５を間柱２ａの側面に接当させて密着させ、その挿通孔１８に挿通した釘やビス等の締結具１７を間柱２ａに締結する。間柱２ａが金属形材で形成してある場合には、セルフドリリングビス、スクリュービス、テクスビス等の締結具１８を用いて締結片１５を固定する。取付具３は外壁パネル１の長手方向の複数個所を支持する。以後同様の手順を繰り返して行って外壁を形成する。
【００１６】
上記のパネル取り付け作業は、屋外側から行うこともできるが、とくに隣家との隙間が小さく、そこに足場を組めない場合に好適である。所定数の取付具３を外壁パネル１の裏面に順に取り付け、その締結片１５を屋内側から間柱２ａに対して締結固定することで、パネル取り付けを行えるからである。パネル取り付け状態においては、間柱２ａに固定した取付具３の上下の係合片１６・１７が、外壁パネル１の上下の係合部９・１０と係合しており、さらにベース部１２が上下に隣接する外壁パネル１の連結部Ｃの裏面を上下に横断する状態で密着する。従って，外壁パネル１を上下遊動不能に固定できるのはもちろんのこと、パネル面が内外にそり変形するのを確実に防止して、長期使用時の外壁の面不整を解消できる。
【００１７】
図３（ａ）〜（ｃ）に外壁パネル１の係合部９・１０と、取付具３の上下の係合片１６・１７の別実施例を示す。なお図３においては外壁パネルをシルエットで表しているが、上記の実施例と同様に構成する。
図３（ａ）に示す外壁パネル１は、上方の係合部９を外壁パネル１の裏面上方に屋内側へ向かって開口する断面逆Ｕ字状の溝として形成し、溝の屈曲端９ａに取付具３の下方係合片１７を裏面下方から掛け止めるようにした。さらに下方の係合部１０は、外壁パネル１の裏面下方に内凹み状の逆Ｕ字溝しとて形成した。他は上記の実施例と同じである。取付具３は上記の実施例の取付具３を上下に反転して使用する。
【００１８】
図３（ｂ）に示す外壁パネル１は、上下の係合部９・１０を表面板４とは異なる金属板で形成したした。このように、係合部９・１０は表面板４と異なる板材で形成できる。
【００１９】
図３（ｃ）に示す取付具３は、ベース部１４の一側上下に２個の締結片１５をそれぞれ折り起こし形成した点が先の実施例と異なる。
【００２０】
上記の外壁パネル１の上下の係合部９・１０、および取付具３の上下の係合片１６・１７は、それぞれ組み合わせ相手を変更して実施することができ、上記の組み合わせ形態に限定されない。また、第１嵌合部７と第２嵌合部８の断面形状も実施例には限られず、例えば第２嵌合部８を多段溝状に形成し、あるいは前後に隣接する複数の溝で形成するなど、既存の外壁パネルの嵌合部構造をそのまま踏襲できる。本発明のパネル取付構造は、縦張り型の外壁パネルの取り付けにも適用できる。外壁パネル１はサンドイッチパネルである必要はなく、金属板を所定形状に折り曲げた棚板状のパネル体や、その裏面側に芯材６を貼り付けたパネル体を含むものとする。
【００２１】
【発明の効果】
本発明では、上下に隣接する外壁パネル１・１の連結部Ｃの背面に取付具３を装着し、連結部Ｃに隣接する係合部９・１０を取付具３で係合固定することにより、屋内側から外壁パネル１を取り付ける場合であっても、その施工を容易にしかも確実に行って、外壁パネル１を壁下地材２に強固に固定でき、屋外側からパネル取り付けを行う場合と同等の壁強度と耐久性を得ることができる。外壁パネル１のそり変形を防止できるので、長期使用時の壁面の面不整をよく防止でき、とくにパネル内に膨張あるいは収縮しやすい芯材６が設けてある場合であっても、外壁を長期にわたって面一状に維持して、その体裁を施工時と同じ状態に持続できる。隣家の火災等によってパネル面がそり変形し、隣接するパネルの連結部Ｃの間に隙間を生じ、そこから火が屋内へ回り込むことも確実に防止でき、外壁の耐火性を向上できる。
【図面の簡単な説明】
【図１】外壁パネルの取付構造を示す縦断側面図である。
【図２】外壁パネルおよび取付具の分解斜視図である。
【図３】取付具と外壁パネルの係合部の構造の別実施例を示す側面図である。
【符号の説明】
１  外壁パネル
２  壁下地材
３  取付具
７  第１嵌合部
８  第２嵌合部
９・１０  係合部
１４  ベース部
１５  締結片
１６・１７  係合片
１８  締結具
Ｃ  連結部
【図１】
0003645025.tif 000002
【図２】
0003645025.tif 000003
【図３】
0003645025.tif 000004